(57)【要約】  医療用ポンプは、薬剤特定情報を読み取り可能なリーダと、前記リーダが読み取った前記薬剤特定情報を記憶する記憶部と、報知部と、制御部と、を備え、前記制御部は、前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較し、前記記憶部に記憶されている前記薬剤特定情報と、前記リーダが新たに読み取った前記薬剤特定情報とが一致していない場合、前記報知部に、薬剤が一致していないことを報知させる。
2019064952.tif 000002
【特許請求の範囲】
【請求項１】
薬剤特定情報を読み取り可能なリーダと、  前記リーダが読み取った前記薬剤特定情報を記憶する記憶部と、  報知部と、  制御部と、を備え、  前記制御部は、  前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較し、  前記記憶部に記憶されている前記薬剤特定情報と、前記リーダが新たに読み取った前記薬剤特定情報とが一致していない場合、前記報知部に、薬剤が一致していないことを報知させる、医療用ポンプ。
【請求項２】
請求項１に記載の医療用ポンプにおいて、  前記制御部は、前記記憶部に記憶されている前記薬剤特定情報と、前記リーダが新たに読み取った前記薬剤特定情報とが一致していない場合、さらに、前記医療用ポンプを送液不可モードに移行させる、医療用ポンプ。
【請求項３】
請求項１又は２に記載の医療用ポンプにおいて、  前記制御部は、前記記憶部に前記薬剤特定情報が記憶されていないときに、前記リーダが薬剤特定情報を読み取ると、読み取った該薬剤特定情報を前記記憶部に記憶させる、医療用ポンプ。
【請求項４】
請求項１から３のいずれか一項に記載の医療用ポンプにおいて、  前記リーダは、前記医療用ポンプに装着されたシリンジから前記薬剤特定情報を読み取る、医療用ポンプ。
【請求項５】
請求項４に記載の医療用ポンプにおいて、  前記制御部は、前記リーダが前記医療用ポンプに装着されたシリンジから前記薬剤特定情報を読み取れなかった場合に、前記記憶部に前記薬剤特定情報が記憶されていると判定すると、前記報知部に、前記薬剤特定情報を認識できないことを報知させる、医療用ポンプ。
【請求項６】
薬剤特定情報を読み取り可能なリーダと、  前記リーダが読み取った前記薬剤特定情報を記憶する記憶部と、  報知部と、  制御部と、を備え、  前記制御部は、  前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較し、  前記記憶部に記憶されている前記薬剤特定情報と、前記リーダが新たに読み取った前記薬剤特定情報とが一致している場合、前記報知部に、薬剤が一致していることを報知させる、医療用ポンプ。
【請求項７】
薬剤特定情報を読み取り可能なリーダと、前記リーダが読み取った前記薬剤特定情報を記憶する記憶部と、を備える医療用ポンプの制御方法であって、  前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較することと、  前記記憶部に記憶されている前記薬剤特定情報と、前記リーダが新たに読み取った前記薬剤特定情報とが一致していない場合、薬剤が一致していないことを報知することと、を含む医療用ポンプの制御方法。
【請求項８】
医療用ポンプと、前記医療用ポンプに装着可能なシリンジと、を備える医療用ポンプシステムであって、  前記医療用ポンプは、  前記医療用ポンプに装着された前記シリンジから薬剤特定情報を読み取り可能なリーダと、  前記リーダが読み取った前記薬剤特定情報を記憶する記憶部と、  報知部と、  制御部と、を備え、  前記制御部は、  前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較し、  前記記憶部に記憶されている前記薬剤特定情報と、前記リーダが新たに読み取った前記薬剤特定情報とが一致していない場合、前記報知部に、薬剤が一致していないことを報知させる、医療用ポンプシステム。
【請求項９】
請求項８に記載の医療用ポンプシステムにおいて、  前記シリンジは、静脈麻酔薬又は血管作動薬を含む薬剤が予め充填されたシリンジ本体と、シリンジ本体に予め貼り付けられた通信器とを有するプレフィルドシリンジであり、  前記通信器は、前記シリンジ本体に充填された前記薬剤に対応した前記薬剤特定情報を含むデータセットを記憶しているメモリと、通信部とを有し、  前記リーダは、前記メモリに記憶された前記データセットを、前記通信部を介して読み取り可能である、医療用ポンプシステム。
【発明の詳細な説明】
【技術分野】
【０００１】  本開示は、医療用ポンプ、医療用ポンプの制御方法、及び医療用ポンプシステムに関する。
【背景技術】
【０００２】  シリンジポンプ及び輸液ポンプなどの医療用ポンプは、例えば手術室や集中治療室（ＩＣＵ）等で使用される。医療用ポンプは、患者に対して抗癌剤、麻酔剤、化学療法剤、及び栄養剤などの薬剤の投与を、高い精度で比較的長時間行う場合などに用いられる。【０００３】  医療用ポンプで薬剤を投与する際に、誤った設定で薬剤を投与することを抑制するために、薬剤ライブラリを用いる手法が知られている（例えば、特許文献１参照）。【０００４】  薬剤ライブラリは、例えば数千種類の薬剤のそれぞれについて、投与する際の設定情報等をデータベース化したものである。薬剤ライブラリにおいて、各薬剤は、基準投与速度、投与速度の上限値／下限値、薬剤コード、及び薬剤カラーなどの設定情報を有する。以後、一つの薬剤についての複数の設定情報の集まりを「薬剤プロファイル」とも称する。【０００５】  薬剤ライブラリにおける薬剤プロファイルの各種設定値は、医療用ポンプを所有する医療機関において独自にカスタマイズすることが可能である。通常、薬剤ライブラリは、各医療用ポンプに記憶されている。【０００６】  医療用ポンプのユーザは、医療用ポンプに装着したシリンジなどに充填されている薬剤に対応する薬剤プロファイルを読み込んでから薬剤の投与量などを設定することにより、設定ミスによる誤投与を抑制することができる。
【先行技術文献】
【特許文献】
【０００７】
【特許文献１】特開２０１２−１７９０９９号公報
【発明の概要】
【発明が解決しようとする課題】
【０００８】  手術中などに医療用ポンプで薬剤を投与する場合、医療用ポンプと薬剤との組み合わせは固定化されていることが多い。例えば、手術中に医療用ポンプで長時間にわたって薬剤を投与する場合、シリンジを交換することが必要となることがあるが、交換前のシリンジと同じ薬剤が充填されているシリンジに交換することが多い。【０００９】  医療用ポンプにおいて、使用済みのシリンジを外して同じ薬剤が充填されているシリンジに交換するときに、誤って別の薬剤が充填されているシリンジに交換してしまうというヒューマンエラーが起こり得る。【００１０】  例えば、医療用ポンプを複数使用している場合、薬剤の名称が似ている場合、シリンジの外観（色、形、ラベルなど）が似ている場合などに、誤ったシリンジに交換する可能性が高くなる。【００１１】  シリンジ交換の際に誤ったシリンジに交換してしまうと、交換前は薬剤ライブラリを用いた設定により適切な薬剤を投与していたとしても、シリンジの交換後に誤投与をすることになってしまう。【００１２】  かかる点に鑑みてなされた本開示の目的は、シリンジ交換の際に誤って交換することを抑制することができる医療用ポンプ、医療用ポンプの制御方法、及び医療用ポンプシステムを提供することにある。
【課題を解決するための手段】
【００１３】  本開示の第１の態様としての医療用ポンプは、薬剤特定情報を読み取り可能なリーダと、前記リーダが読み取った前記薬剤特定情報を記憶する記憶部と、報知部と、制御部と、を備え、前記制御部は、前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較し、前記記憶部に記憶されている前記薬剤特定情報と、前記リーダが新たに読み取った前記薬剤特定情報とが一致していない場合、前記報知部に、薬剤が一致していないことを報知させる。【００１４】  本開示の１つの実施形態として、前記制御部は、前記記憶部に記憶されている前記薬剤特定情報と、前記リーダが新たに読み取った前記薬剤特定情報とが一致していない場合、さらに、前記医療用ポンプを送液不可モードに移行させる。【００１５】  本開示の１つの実施形態として、前記制御部は、前記記憶部に前記薬剤特定情報が記憶されていないときに、前記リーダが薬剤特定情報を読み取ると、読み取った該薬剤特定情報を前記記憶部に記憶させる。【００１６】  本開示の１つの実施形態として、前記リーダは、前記医療用ポンプに装着されたシリンジから前記薬剤特定情報を読み取る。【００１７】  本開示の１つの実施形態として、前記制御部は、前記リーダが前記医療用ポンプに装着されたシリンジから前記薬剤特定情報を読み取れなかった場合に、前記記憶部に前記薬剤特定情報が記憶されていると判定すると、前記報知部に、前記薬剤特定情報を認識できないことを報知させる。【００１８】  本開示の第２の態様としての医療用ポンプは、薬剤特定情報を読み取り可能なリーダと、前記リーダが読み取った前記薬剤特定情報を記憶する記憶部と、報知部と、制御部と、を備え、前記制御部は、前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較し、前記記憶部に記憶されている前記薬剤特定情報と、前記リーダが新たに読み取った前記薬剤特定情報とが一致している場合、前記報知部に、薬剤が一致していることを報知させる。【００１９】  本開示の第３の態様としての医療用ポンプの制御方法は、薬剤特定情報を読み取り可能なリーダと、前記リーダが読み取った前記薬剤特定情報を記憶する記憶部と、を備える医療用ポンプの制御方法であって、前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較することと、前記記憶部に記憶されている前記薬剤特定情報と、前記リーダが新たに読み取った前記薬剤特定情報とが一致していない場合、薬剤が一致していないことを報知することと、を含む。【００２０】  本開示の第４の態様としての医療用ポンプシステムは、医療用ポンプと、前記医療用ポンプに装着可能なシリンジと、を備える医療用ポンプシステムであって、前記医療用ポンプは、前記医療用ポンプに装着された前記シリンジから薬剤��定情報を読み取り可能なリーダと、前記リーダが読み取った前記薬剤特定情報を記憶する記憶部と、報知部と、制御部と、を備え、前記制御部は、前記記憶部に前記薬剤特定情報が記憶されているときに、前記リーダが新たに薬剤特定情報を読み取ると、前記記憶部に記憶されている前記薬剤特定情報と、前記リーダが新たに読み取った前記薬剤特定情報とを比較し、前記記憶部に記憶されている前記薬剤特定情報と、前記リーダが新たに読み取った前記薬剤特定情報とが一致していない場合、前記報知部に、薬剤が一致していないことを報知させる。【００２１】  本開示の１つの実施形態として、前記シリンジは、静脈麻酔薬又は血管作動薬を含む薬剤が予め充填されたシリンジ本体と、シリンジ本体に予め貼り付けられた通信器とを有するプレフィルドシリンジであり、前記通信器は、前記シリンジ本体に充填された前記薬剤に対応した前記薬剤特定情報を含むデータセットを記憶しているメモリと、通信部とを有し、前記リーダは、前記メモリに記憶された前記データセットを、前記通信部を介して読み取り可能である。
【発明の効果】
【００２２】  本開示に係る医療用ポンプ、医療用ポンプの制御方法、及び医療用ポンプシステムによれば、シリンジ交換の際に誤って交換することを抑制することができる。
【図面の簡単な説明】
【００２３】
【図１】本開示の一実施形態に係る医療用ポンプシステムの概略構成図である。
【図２】シリンジが装着されている状態の、本開示の一実施形態に係る医療用ポンプを示す概観斜視図である。
【図３】図２に示す医療用ポンプの概観正面図である。
【図４】図１に示すシリンジの概観斜視図である。
【図５】図１に示す通信器の概略構成図である。
【図６】図１に示す医療用ポンプの電気的な構成を示す概略図である。
【図７】図１に示す医療用ポンプの表示部の表示の一例である。
【図８】図１に示す医療用ポンプの動作の一例を示すフローチャートである。
【発明を実施するための形態】
【００２４】  以下、図面を参照して、本開示の実施の形態を説明する。図面の寸法比率は、説明の都合上、誇張されて実際の比率とは異なる場合がある。また、各図において、共通の部材には同一の符号を付している。
【００２５】  図１は、本開示の一実施形態に係る医療用ポンプシステム１の概略構成図である。医療用ポンプシステム１は、医療用ポンプ１００と、シリンジ２００とを備える。シリンジ２００は、医療用ポンプ１００に装着可能である。シリンジ２００には、通信器３００が貼り付けられている。
【００２６】  通信器３００は、例えばＲＦタグである。医療用ポンプ１００と、通信器３００とは、例えばＮＦＣ（Near Field Communication）のような、到達距離の短い無線通信によって通信を行うことができる。
【００２７】  医療用ポンプ１００と通信器３００との間の無線通信は到達距離が短いため、シリンジ２００が医療用ポンプ１００に装着されているときは通信可能であるが、シリンジ２００が医療用ポンプ１００から所定の距離以上離れているときは、医療用ポンプ１００は、通信器３００と通信することができない。これにより、医療用ポンプ１００は、医療用ポンプ１００に装着されていないシリンジ２００に貼り付けられた通信器３００からデータを読み取ることを抑制することができる。
【００２８】  シリンジ２００には、シリンジ２００に充填されている薬剤に対応する情報のセット（以後、単に「データセット」とも称する）を記憶している通信器３００が貼り付けられている。
【００２９】  医療用ポンプ１００は、複数の薬剤プロファイルを含む薬剤ライブラリを記憶している。
【００３０】  医療用ポンプ１００は、シリンジ２００が医療用ポンプ１００に装着されると、通信器３００から、通信器３００に記憶されているデータセットを読み取る。医療用ポンプ１００は、読み取ったデータセットに含まれる薬剤特定情報に対応する薬剤プロファイルに基づいて、投与に関する情報（以後、単に「投与情報」とも称する）を設定する。
【００３１】  ここで薬剤特定情報とは、薬剤プロファイルを特定することのできる情報であり、例えば薬剤コードである。薬剤コードには、例えば、１３桁の管理番号からなる所謂ＨＯＴコードなどがある。
【００３２】  また、投与に関する情報（投与情報）とは、例えば、基準投与速度、及び投与速度の上限値／下限値などである。医療用ポンプ１００は、装着されたシリンジ２００に充填されている薬剤に対応した投与情報を設定することにより、該医療用ポンプ１００を所有する医療機関がカスタマイズした投与情報に基づいて薬剤を投与することができる。また、医療用ポンプ１００は、該医療用ポンプ１００を所有する医療機関が設定した上限値より大きい、又は、下限値より小さい投与速度で、薬剤を投与することを防止することができる。
【００３３】  次に、図２及び図３を参照して、本開示の一実施形態に係る医療用ポンプ１００について説明する。図２は、本開示の一実施形態に係る医療用ポンプ１００の概観斜視図である。図３は、本開示の一実施形態に係る医療用ポンプ１００の概観正面図である。図２及び図３においては、一例として、医療用ポンプ１００がシリンジポンプである場合を示している。
【００３４】  医療用ポンプ１００は、例えば、手術室やＩＣＵ（Intensive Care Unit）、ＣＣＵ（Coronary Care Unit）、及びＮＩＣＵ（Neonatal Intensive Care Unit）等の集中治療室等において、シリンジ２００に充填された静脈麻酔薬や血管作動薬等の薬剤を持続的に患者の体内に送液するために使用される。静脈麻酔薬は、神経系に作用して鎮静効果や鎮痛効果を発揮する薬剤を含む。
【００３５】  医療用ポンプ１００は、シリンジ２００に充填された静脈麻酔薬や血管作動薬等を含む種々の薬剤を患者の体内に送液することができる。適用可能な静脈麻酔薬の例として、プロポフォール、ミタゾラム、及びレミフェンタニル等がある。適用可能な血管作動薬の例として、エピネフリン、ノルアドレナリン、ドブタミン、ドパミン、硝酸イソソルビド、及びニトログリセリン等がある。
【００３６】  以下に、医療用ポンプ１００の装置構成の一例を詳細に説明する。
【００３７】  図２及び図３に示すように、医療用ポンプ１００は、薬剤を充填した、薬剤収納容器としてのシリンジ２００のシリンジ押子２０２をＴ方向に押圧して、シリンジ本体２０１内の薬剤を、チューブ２０３及び留置針２０４を介して、患者Ｐに対して正確に送液する。このとき、シリンジ２００のシリンジ本体２０１は、クランプ５によって医療用ポンプ１００に動かないようにセットされている。
【００３８】  医療用ポンプ１００は、本体カバー２を有する。
【００３９】  本体カバー２は、耐薬品性を有する成型樹脂材料により一体成型されている。これにより、本体カバー２は防沫処理構造を有する。防沫処理構造は、仮に医療用ポンプ１００に薬剤等がかかっても、医療用ポンプ１００の内部に薬剤等が侵入することを抑制することができる。防沫処理構造を有するようにしているのは、シリンジ本体２０１内の薬剤がこぼれたり、医療用ポンプ１００の上方に配置されている点滴液がこぼれ落ちたり、周辺で用いる消毒液等が飛散して付着したりすることがあるためである。
【００４０】  図２及び図３に示すように、本体カバー２は、上部分２Ａ及び下部分２Ｂを有する。
【００４１】  上部分２Ａには、表示部３と、操作パネル部４とが配置されている。
【００４２】  下部分２Ｂには、シリンジ設置部６と、シリンジ押子２０２を押すためのシリンジ押子駆動部７とが配置されている。
【００４３】  表示部３は、カラー表示することができる画像表示装置である。表示部３は、例えば、カラー液晶表示装置により構成することができる。表示部３は、日本語表記による情報表記だけでなく、必要に応じて複数の外国語による情報の表示を行うことができる。表示部３は、本体カバー２の上部分２Ａの左上位置であって、シリンジ設置部６とシリンジ押子駆動部７の上側に配置されている。表示部３は、タッチセンサ等の入力デバイスを備え、ユーザからの入力を受け付けてもよい。
【００４４】  操作パネル部４は、本体カバー２の上部分２Ａにおいて表示部３の右側に配置されている。操作パネル部４には、電源ＯＮ／ＯＦＦボタン４Ａ、動作インジケータ４Ｆ、及び操作ボタンが配置されている。図２及び図３には、操作ボタンとして、必要最小限の、早送りスイッチボタン４Ｂ、開始スイッチボタン４Ｃ、停止スイッチボタン４Ｄ、及びメニュー選択ボタン４Ｅが配置されている例を示している。
【００４５】  図２及び図３に示すように、シリンジ設置部６とシリンジ押子駆動部７は、Ｘ方向に沿って並べて配置されている。シリンジ設置部６は、シリンジ２００を着脱可能にはめ込んで固定することができる。シリンジ設置部６は、複数の種類の大きさの異なるシリンジ２００を固定することができる。
【００４６】  図４に、シリンジ２００の外観斜視図を示す。シリンジ２００は、シリンジ本体２０１と、シリンジ押子２０２とを有している。シリンジ本体２０１は、本体フランジ２０９を有し、シリンジ押子２０２は、押子フランジ２０５を有している。シリンジ本体２０１には、薬剤の目盛２１０が形成されている。シリンジ本体２０１の出口部２１１には、フレキシブルなチューブ２０３の一端部が着脱可能に接続される。シリンジ２００がシリンジ本体２０１内に予め薬剤が充填されたプレフィルドシリンジである場合、シリンジ本体２０１の出口部２１１に出口部２１１の開口部を封止するキャップが装着された状態で、シリンジ２００が医療機関に提供される。シリンジ本体２０１内に予め充填される薬剤としては、プロポフォール、ミタゾラム、及びレミフェンタニル等の静脈麻酔薬や、エピネフリン、ノルアドレナリン、ドブタミン、ドパミン、硝酸イソソルビド、及びニトログリセリン等の血管作動薬がある。
【００４７】  シリンジ本体２０１には、シリンジ２００に充填されている薬剤に対応するデータセットを記憶している通信器３００が貼り付けられている。シリンジ２００がプレフィルドシリンジである場合、シリンジ本体２０１に充填された薬剤に対応する薬剤特定情報を含むデータセットを記憶したメモリを有する通信器３００が予めシリンジ本体２０１に貼り付けられた状態で、シリンジ２００が医療機関に提供される。
【００４８】  図５に、通信器３００の概略構成図を示す。上述のように、通信器３００は、例えばＲＦタグである。通信器３００は、通信部３１０と、メモリ３２０とを備える。
【００４９】  通信部３１０は、医療用ポンプ１００が備えるリーダ１７０（図６参照）と無線通信を行う。通信部３１０は、医療用ポンプ１００と、例えばＮＦＣのような、到達距離の短い無線通信によって通信を行う。
【００５０】  メモリ３２０は、シリンジ２００に充填されている薬剤に対応するデータセットなどの情報を記憶している。メモリ３２０が記憶しているデータセットには、薬剤コードのような薬剤特定情報が含まれている。また、メモリ３２０が記憶しているデータセットには、さらに、薬剤プロファイルが含まれていてもよい。
【００５１】  通信部３１０は、医療用ポンプ１００からデータセットの送信要求を受信すると、メモリ３２０に記憶されているデータセットを医療用ポンプ１００に送信する。
【００５２】  再び図２及び図３を参照して、医療用ポンプ１００の装置構成について説明する。
【００５３】  シリンジ設置部６は、シリンジ本体２０１を収容する収容部８と、クランプ５とを有している。収容部８は、シリンジ本体２０１を収容するために、断面がほぼ半円形形状の凹部であり、Ｘ方向に沿って形成されている。収容部８の端部の壁部分には、チューブ２０３を着脱可能に挟み込むためのチューブ固定部９が形成されている。
【００５４】  クランプ５を操作してシリンジ２００をシリンジ設置部６から取り外す際には、クランプ５を図示しないスプリングの力に抗してＹ１方向（手前方向）に引っ張って、さらにＲ１方向に９０度回す。この操作により、シリンジ本体２０１のクランプ５による固定は解除され、シリンジ２００を収容部８から取り外すことができる。また、クランプ５を操作してシリンジ２００をシリンジ設置部６に取り付ける際には、クランプ５を図示しないスプリングの力に抗してＹ１方向に引っ張ってＲ２方向に９０度回して、スプリングの力によりＹ２方向に戻す。この操作により、シリンジ本体２０１を収容部８に収容して、クランプ５により固定することができる。クランプ５により、５ｍＬ、１０ｍＬ、２０ｍＬ、３０ｍＬ、５０ｍＬなどの様々な収容量のシリンジ２００を固定することができるように、シリンジ設置部６の収容部８の右端部８Ｅは一部が切欠部となっている。
【００５５】  シリンジ本体２０１が収容部８内に収容されて固定されると、シリンジ押子２０２がシリンジ押子駆動部７内に配置される。このシリンジ押子駆動部７は、スライダ１０を有している。このスライダ１０は、図３に示す制御部１８０からの指令により、シリンジ押子２０２の押子フランジ２０５を、シリンジ本体２０１に対して相対的にＴ方向に沿って少しずつ押す。
【００５６】  図２及び図３におけるＸ方向、Ｙ方向、及びＺ方向は互いに直交しており、Ｚ方向は上下方向である。
【００５７】  次に、図６を参照して、図１に示す医療用ポンプ１００の電気的な構成例を詳細に説明する。
【００５８】  図６において、医療用ポンプ１００は、全体的な動作の判断及び制御を行う制御部（コンピュータ）１８０を有している。この制御部１８０は、例えばワンチップのマイクロコンピュータである。
【００５９】  制御部１８０は、電源ＯＮ／ＯＦＦボタン４Ａと、スイッチ１１１とが接続されている。
【００６０】  スイッチ１１１は、電源コンバータ部（電源部）１１２と、例えばリチウムイオン電池のような充電池１１３とを切り換えることで、電源コンバータ部１１２及び充電池１１３のいずれか一方から制御部１８０に電源を供給する。
【００６１】  電源コンバータ部１１２は、コンセント１１４を介して商用交流電源１１５に接続されている。
【００６２】  図６において、ポンプ部１６０は、制御部１８０に電気的に接続されている。ポンプ部１６０は、制御部１８０からの指令により、薬剤プロファイルに基づいて設定された投与情報に従って薬剤を患者に投与する。
【００６３】  図６において、ポンプ部１６０の収容部８内には、一対の検出スイッチ１２０及び１２１が配置されている。検出スイッチ１２０及び１２１は、シリンジ２００のシリンジ本体２０１が、収容部８に正しく配置されているかどうかを検知して、制御部１８０に通知する。
【００６４】  ポンプ部１６０のクランプセンサ１２２は、クランプ５の位置状態を検知することで、シリンジ本体２０１がクランプ５により確実にクランプされているかどうかを、制御部１８０に通知する。
【００６５】  ポンプ部１６０のシリンジ押子駆動部７のモータ１３３は、制御部１８０の指令によりモータドライバ１３４により駆動されると、送りネジ１３５を回転させてスライダ１０をＴ方向に移動させる。これにより、スライダ１０は、シリンジ押子２０２の押子フランジ２０５をＴ方向に押圧して、図３に示すシリンジ本体２０１内の薬剤を、チューブ２０３を通じて患者Ｐに対して留置針２０４を介して正確に送液する。
【００６６】  図６において、早送りスイッチボタン４Ｂ、開始スイッチボタン４Ｃ、停止スイッチボタン４Ｄ、及びメニュー選択ボタン４Ｅは、制御部１８０に電気的に接続されている。開始スイッチボタン４Ｃが押下されると送液開始の制御信号が制御部１８０に入力される。また、停止スイッチボタン４Ｄが押下されると送液停止の制御信号が制御部１８０に入力される。
【００６７】  図６において、表示部ドライバ１３０は、制御部１８０に電気的に接続されている。表示部ドライバ１３０は、制御部１８０の指令により表示部３を駆動して種々の情報を表示部３に表示する。
【００６８】  図６において、報知部１３１は、制御部１８０に電気的に接続されている。報知部１３１は、制御部１８０の指令により各種の警報内容を、音声、光、又は振動などにより告知する。また、制御部１８０が各種の警報内容を、表示部３への表示により告知する場合、表示部３が報知部としての機能を有してもよい。
【００６９】  通信部１４０は、ネットワークを介して医療機関のサーバなどとデータの送受信を行う。また、通信部１４０は、例えばデスクトップコンピュータのようなコンピュータとローカルに接続して、データの送受信を行ってもよい。
【００７０】  リーダ１７０は、シリンジ２００に貼り付けられた通信器３００の通信部３１０と、例えばＮＦＣのような、到達距離の短い無線通信によって通信を行う。
【００７１】  リーダ１７０は、シリンジ２００が医療用ポンプ１００に装着されると、通信器３００に対して薬剤特定情報を含むデータセットの送信要求を送信する。リーダ１７０は、リーダ１７０からの送信要求に応答して通信器３００から送信されるデータセットを読み取る。
【００７２】  記憶部１１０は、例えば半導体メモリ及び磁気メモリ等を用いて構成されてよい。記憶部１１０は、医療用ポンプ１００の動作に必要な種々の情報及びプログラムを記憶する。
【００７３】  記憶部１１０は、複数の薬剤プロファイルを含む薬剤ライブラリを記憶している。記憶部１１０は、医療用ポンプ１００を所有する医療機関によってカスタマイズされた薬剤ライブラリを記憶することができる。例えば、制御部１８０が、医療機関のサーバに保存されている薬剤ライブラリを、通信部１４０を介して記憶部１１０にダウンロードすることで、記憶部１１０は、医療機関によってカスタマイズされた薬剤ライブラリを記憶することができる。
【００７４】  制御部１８０は、シリンジ２００が医療用ポンプ１００に装着され、リーダ１７０が通信器３００からデータセットを読み取ると、該データセットに含まれている薬剤特定情報を取得する。薬剤特定情報は、例えば薬剤コードであるが、薬剤コードに限定されず、薬剤を特定できる情報であればよい。
【００７５】  制御部１８０は、取得した薬剤特定情報に対応する薬剤プロファイルを記憶部１１０から読み込む。制御部１８０は、記憶部１１０から読み込んだ薬剤プロファイルの情報に基づいて、投与情報などを設定する。投与情報は、上述したように、基準投与速度、及び投与速度の上限値／下限値などである。
【００７６】  制御部１８０は、取得した薬剤特定情報に対応する薬剤プロファイルが記憶部１１０に含まれていない場合、リーダ１７０が読み取ったデータセットに、該薬剤特定情報に対応する薬剤プロファイルが含まれていれば、データセットに含まれている薬剤プロファイルを取得してもよい。この場合、制御部１８０は、リーダ１７０が読み取ったデータセットから取得した薬剤プロファイルの情報に基づいて、投与情報などを設定する。
【００７７】  制御部１８０は、医療用ポンプ１００に装着されたシリンジ２００に充填されている薬剤に対応する薬剤プロファイルを読み込むと、薬剤プロファイルに含まれる情報を反映させて、表示部３の表示内容を更新する。
【００７８】  図７に、制御部１８０が薬剤プロファイルを読み込んだ場合の表示部３の表示の一例を示す。図７に示す例では、薬剤名表示欄７０１、薬剤カラー表示欄７０２、及び投与設定表示欄７０３が表示される。また、メッセージがある場合、メッセージ欄７０４にメッセージが表示される。
【００７９】  薬剤名表示欄７０１には、例えば、「ニトログリセリン」のような薬剤名が表示される。薬剤カラー表示欄７０２には、薬剤に対応して予め設定されている色が表示される。
【００８０】  投与設定表示欄７０３には、例えば、基準投与速度及び基準流量などが表示される。図７に示す例では、基準投与速度として、１．００［μｇ／ｋｇ／ｍｉｎ］が表示され、基準流量として、１．２０［ｍＬ／ｈ］が表示されている。ユーザは、必要に応じて、例えば基準投与速度を変更することが可能である。しかしながら、ユーザが設定した値が、薬剤プロファイルにおいて規定されている投与速度の上限値を上回っているか、又は下限値を下回っている場合、制御部１８０は、報知部１３１に警告を報知させる。表示部３が報知部として機能している場合、制御部１８０は、表示部３の表示を変更することにより、警告を報知してもよい。医療用ポンプ１００は、これにより、ユーザが薬剤プロファイルにおいて規定されている投与速度の上限値より大きい、又は、下限値より小さい投与速度で、薬剤を投与することを防止することができる。
【００８１】  メッセージ欄７０４には、制御部１８０が薬剤プロファイルを読み込んだ場合、例えば、「薬剤を認識しました」のようなメッセージが表示される。
【００８２】  制御部１８０は、開始スイッチボタン４Ｃが押下されると、設定された投与情報に従って薬剤を患者に送液するように、ポンプ部１６０を制御する。
【００８３】  制御部１８０は、使用中の薬剤に対応する薬剤特定情報を、「使用中薬剤特定情報」として、記憶部１１０に記憶させる。
【００８４】  制御部１８０は、記憶部１１０に使用中薬剤特定情報が記憶されていないときに、リーダ１７０が読み取ったデータセットから薬剤特定情報を取得すると、該薬剤特定情報を使用中薬剤特定情報として、記憶部１１０に記憶させる。例えば、制御部１８０は、電源ＯＮ／ＯＦＦボタン４Ａが押下されて医療用ポンプ１００の電源がオンしてから、最初に薬剤特定情報を取得すると、該薬剤特定情報を使用中薬剤特定情報として、記憶部１１０に記憶させる。より具体的には、制御部１８０は、電源ＯＮ／ＯＦＦボタン４Ａが押下されて医療用ポンプ１００の電源がオンしてから、最初に薬剤特定情報を取得し、開始スイッチボタン４Ｃが押下されて送液が開始されたことに連動して、該薬剤特定情報を使用中薬剤特定情報として、記憶部１１０に記憶させる。これにより、制御部１８０は、実際に送液している薬剤に対応する薬剤特定情報のみを使用中薬剤特定情報として、記憶部１１０に記憶させることができる。また、制御部１８０は、電源ＯＮ／ＯＦＦボタン４Ａが押下されて医療用ポンプ１００の電源がオンしてから、最初に薬剤特定情報を取得したことに連動して、該薬剤特定情報を使用中薬剤特定情報として、記憶部１１０に記憶させてもよい。
【００８５】  制御部１８０は、記憶部１１０に使用中薬剤特定情報が記憶されているときに、リーダ１７０が新たにデータセットを読み取り、データセットから薬剤特定情報を取得すると、記憶部１１０に記憶されている使用中薬剤特定情報と、新たに取得した薬剤特定情報とを比較する。
【００８６】  制御部１８０は、使用中薬剤特定情報と、新たに取得した薬剤特定情報とが一致していない場合、報知部１３１又は表示部３に、新たに医療用ポンプ１００に装着したシリンジ２００に充填されている薬剤が、交換前に医療用ポンプ１００に装着されていたシリンジ２００に充填されていた薬剤と一致していないことを、警告として報知させる。表示部３を報知部として機能させる場合、制御部１８０は、例えば、図７に示す表示部３のメッセージ欄７０４に、「異なる薬剤を認識しました」とのメッセージを表示させる。これにより、医療用ポンプ１００は、シリンジ２００の交換の際に、ユーザが誤った薬剤が充填されたシリンジ２００に交換することを抑制することができる。
【００８７】  制御部１８０は、使用中薬剤特定情報と、新たに取得した薬剤特定情報とが一致していない場合、さらに、医療用ポンプ１００を送液不可モードに移行させてもよい。ここで、「送液不可モード」とは、ユーザによって開始スイッチボタン４Ｃが押下されても、送液を開始しないようにするモードである。送液不可モードにおいては、制御部１８０は、開始スイッチボタン４Ｃが押下されたときに、送液不可であることを音声などによって報知部１３１に報知させてもよい。これらの処理により、医療用ポンプ１００は、誤った薬剤が充填されたシリンジ２００に交換された際に、その状態のまま送液が開始されてしまうことを、より確実に防止することができる。
【００８８】  ユーザによるシリンジ２００の交換の際、交換前のシリンジ２００に充填されていた薬剤と同じ薬剤を充填しているシリンジ２００に交換するケースが多いが、ユーザが意図的に異なる薬剤が充填されているシリンジ２００に交換する場合もある。そのため、制御部１８０は、ユーザの所定の操作により、送液不可モードから送液許容モードに移行させるようにしてもよい。
【００８９】  例えば、ユーザが医療用ポンプ１００を操作して手動で投与単位の設定を変更すると、制御部１８０は、送液不可モードから送液許容モードに移行させる。
【００９０】  投与単位には、単位時間あたりに薬液をどれだけ送液するかで投与設定するｍＬ／ｈ、並びに、薬剤濃度と患者の体重から薬剤を単位時間あたりにどれだけ投与するかで投与設定するμｇ／ｋｇ／ｍｉｎ及びμｇ／ｋｇ／ｈなどがある。
【００９１】  また、例えば、ユーザが医療用ポンプ１００を操作して手動で薬剤プロファイルを変更すると、制御部１８０は、送液不可モードから送液許容モードに移行させる。
【００９２】  ユーザが投与単位又は薬剤プロファイルなどの設定を手動で変更するということは、交換後の薬剤に適した設定になるように、ユーザが設定を意図的に変更したと考えられる。そのため、制御部１８０は、ユーザが投与単位又は薬剤プロファイルなどの設定を手動で変更した場合、医療用ポンプ１００を送液不可モードから送液許容モードに移行させる。送液許容モードに移行すると、医療用ポンプ１００は、開始スイッチボタン４Ｃが押下されたときに、送液を開始することができるようになる。
【００９３】  また、記憶部１１０に使用中薬剤特定情報が記憶されているために、制御部１８０が医療用ポンプ１００を送液不可モードに移行させた場合に、例えば、ユーザが電源ＯＮ／ＯＦＦボタン４Ａを押下して医療用ポンプ１００の電源をオフすると、制御部１８０は、記憶部１１０に記憶されている使用中薬剤特定情報を消去する。そのため、ユーザがもう一度、電源ＯＮ／ＯＦＦボタン４Ａを押下して医療用ポンプ１００の電源をオンすると、送液不可モードの状態は解消されている。送液不可モードから送液許容モードへの移行を容易にするために、制御部１８０は、例えば、開始スイッチボタン４Ｃ及び／又は停止スイッチボタン４Ｄが所定時間押下されると送液不可モードの状態を解消させてもよい。
【００９４】  また、上述のように、ユーザが投与単位又は薬剤プロファイルなどの設定を手動で変更した場合にも、制御部１８０は、記憶部１１０に記憶されている使用中薬剤特定情報を消去してよい。
【００９５】  制御部１８０は、使用中薬剤特定情報と、新たに取得した薬剤特定情報とが一致している場合、報知部１３１又は表示部３に、新たに医療用ポンプ１００に装着したシリンジ２００に充填されている薬剤が、交換前に医療用ポンプ１００に装着されていたシリンジ２００に充填されていた薬剤と一致していることを報知させてもよい。表示部３を報知部として機能させる場合、制御部１８０は、例えば、図７に示す表示部３のメッセージ欄７０４に、「同じ薬剤を認識しました」とのメッセージを表示させる。
【００９６】  本実施形態では、制御部１８０が、使用中薬剤特定情報と、新たに取得した薬剤特定情報とが一致していない場合に、報知部１３１又は表示部３に、一致していないことを報知させることを前提としている。しかしながら、制御部１８０は、使用中薬剤特定情報と、新たに取得した薬剤特定情報とが一致していない場合には、報知部１３１又は表示部３に報知させずに、一致している場合に一致していることを報知させてもよい。
【００９７】  医療用ポンプ１００は、使用中薬剤特定情報と、新たに取得した薬剤特定情報とが一致しているか否かを判定しないモード（以後、「薬剤取り違え検出無効モード」とも称する）を有してもよい。ユーザによって薬剤取り違え検出無効モードに設定されると、制御部１８０は、使用中薬剤特定情報と、新たに取得した薬剤特定情報とが一致しているか否かを判定しない。このような薬剤取り違え検出無効モードを有することにより、異なる薬剤に交換することが多いようなケースでは、ユーザに警告の報知による煩わしさを感じさせることを低減することができる。また、薬剤取り違え検出無効モードが設定されている場合、制御部１８０は、薬剤特定情報を取得したときに、該薬剤特定情報で使用中薬剤特定情報を上書きしてもよい。
【００９８】  また、上述の薬剤取り違え検出無効モードは、制御部１８０が、使用中薬剤特定情報と、新たに取得した薬剤特定情報とが一致しているか否かを判定するが、送液不可モードには移行させないモードとしてもよい。この場合、制御部１８０は、使用中薬剤特定情報と、新たに取得した薬剤特定情報とが一致しているか否かを判定した後に、新たに取得した薬剤特定情報で使用中薬剤特定情報を上書きしてもよい。
【００９９】  図８に示すフローチャートを参照して、医療用ポンプ１００の動作の一例について説明する。
【０１００】  医療用ポンプ１００のリーダ１７０は、シリンジ２００が医療用ポンプ１００に装着されると、通信器３００と通信を開始する（ステップＳ１０１）。
【０１０１】  制御部１８０は、通信器３００から薬剤特定情報を取得できたか否かを判定する（ステップＳ１０２）。
【０１０２】  通信器３００から薬剤特定情報を取得できた場合（ステップＳ１０２のＹｅｓ）、制御部１８０は、取得した薬剤特定情報に対応する薬剤プロファイルを記憶部１１０から読み込む（ステップＳ１０３）。
【０１０３】  制御部１８０は、記憶部１１０に使用中薬剤特定情報が記憶されているか否か、すなわち、取得した薬剤特定情報が初回の取得であるか否かを判定する（ステップＳ１０４）。
【０１０４】  取得した薬剤特定情報が初回の取得である場合（ステップＳ１０４のＹｅｓ）、制御部１８０は、取得した薬剤特定情報を、使用中薬剤特定情報として記憶部１１０に記憶させる（ステップＳ１０５）。
【０１０５】  取得した薬剤特定情報が初回の取得ではない場合（ステップＳ１０４のＮｏ）、制御部１８０は、記憶部１１０に記憶されている使用中薬剤特定情報と、新たに取得した薬剤特定情報とが一致しているか否かを判定する（ステップＳ１０６）。
【０１０６】  記憶部１１０に記憶されている使用中薬剤特定情報と、新たに取得した薬剤特定情報とが一致している場合（ステップＳ１０６のＹｅｓ）、制御部１８０は、薬剤交換が成功したと判定し、報知部１３１又は表示部３に、交換前の薬剤と交換後の薬剤が一致していることを報知させる（ステップＳ１０７）。
【０１０７】  記憶部１１０に記憶されている使用中薬剤特定情報と、新たに取得した薬剤特定情報とが一致していない場合（ステップＳ１０６のＮｏ）、制御部１８０は、薬剤交換が失敗したと判定し、報知部１３１又は表示部３に、交換前の薬剤と交換後の薬剤が一致していないことを報知させる（ステップＳ１０８）。
【０１０８】  ステップＳ１０２において、例えばリーダ１７０が通信器３００と通信することができず、通信器３００から薬剤特定情報を取得できないと判定した場合（ステップＳ１０２のＮｏ）、制御部１８０は、記憶部１１０に使用中薬剤特定情報が記憶されているか否かを判定する（ステップＳ１０９）。
【０１０９】  記憶部１１０に使用中薬剤特定情報が記憶されている場合（ステップＳ１０９のＹｅｓ）、制御部１８０は、通信不良などの理由により通信器３００からの薬剤特定情報の読み取りを失敗したと判定する（ステップＳ１１０）。これは、シリンジ２００の交換前においては薬剤特定情報を取得できていたにも関わらず、交換後に薬剤特定情報を取得できないということは、リーダ１７０と通信器３００との間の通信不良の可能性が高いためである。この際、制御部１８０は、例えば、報知部として機能する表示部３のメッセージ欄７０４（図７参照）に、薬剤特定情報を認識できない旨のメッセージ、例えば、「タグを認識できません。位置を確認して下さい」のようなメッセージを表示させてもよい。また、制御部１８０は、さらに、医療用ポンプ１００を送液不可モードに移行させてもよい。
【０１１０】  記憶部１１０に使用中薬剤特定情報が記憶されていない場合（ステップＳ１０９のＮｏ）、制御部１８０は、交換前のシリンジ２００と交換後のシリンジ２００のいずれにも通信器３００が貼り付けられていないと判定する（ステップＳ１１１）。この場合、制御部１８０は、交換前後のシリンジ２００が一致しているか否かの判断をユーザに委ね、医療用ポンプ１００を送液不可モードに移行させない。つまり、送液許容モードを維持する。
【０１１１】  制御部１８０は、ステップＳ１０６の判定処理を、送液許容モードで開始スイッチボタン４Ｃが押下された後に実行してもよい。こうすると、シリンジ２００の交換の際に、ユーザが誤ったシリンジ２００を装着したことに送液開始前に気がついてシリンジ２００を取り外した場合は、交換前後のシリンジ２００に充填されている薬剤が一致していなくても、制御部１８０は、報知部１３１又は表示部３に警告を報知させない。具体的に、制御部１８０は、開始スイッチボタン４Ｃが押下されると、ステップＳ１０６の判定処理を実行する。記憶部１１０に記憶されている使用中薬剤特定情報と、新たに取得した薬剤特定情報とが一致していない場合（ステップＳ１０６のＮｏ）、制御部１８０は、薬剤交換が失敗したと判定し、報知部１３１又は表示部３に、交換前の薬剤と交換後の薬剤が一致していないことを報知させる（ステップＳ１０８）と共に、送液を開始させない。
【０１１２】  これに対して、記憶部１１０に記憶されている使用中薬剤特定情報と、新たに取得した薬剤特定情報とが一致している場合（ステップＳ１０６のＹｅｓ）、制御部１８０は、薬剤交換が成功したと判定し、報知部１３１又は表示部３に、交換前の薬剤と交換後の薬剤が一致していることを報知させる（ステップＳ１０７）と共に、送液を開始させる。
【０１１３】  また、制御部１８０は、ステップＳ１０４の判定処理を、送液許容モードで開始スイッチボタン４Ｃが押下された後に実行してもよい。具体的に、制御部１８０は、開始スイッチボタン４Ｃが押下されると、ステップＳ１０４の判定処理を実行する。取得した薬剤特定情報が初回の取得である場合（ステップＳ１０４のＹｅｓ）、制御部１８０は、取得した薬剤特定情報を、使用中薬剤特定情報として記憶部１１０に記憶させる（ステップＳ１０５）と共に、送液を開始させる。取得した薬剤特定情報が初回の取得ではない場合（ステップＳ１０４のＮｏ）、制御部１８０は、送液を開始せず、上述のステップＳ１０６の判定処理を実行する。
【０１１４】  このように、本実施形態に係る医療用ポンプ１００において、制御部１８０は、記憶部１１０に薬剤特定情報が記憶されているときに、リーダ１７０が新たに薬剤特定情報を読み取ると、記憶部１１０に記憶されている薬剤特定情報と、リーダ１７０が新たに読み取った薬剤特定情報とを比較し、記憶部１１０に記憶されている薬剤特定情報と、リーダ１７０が新たに読み取った薬剤特定情報とが一致していない場合、報知部１３１又は表示部３に、薬剤が一致していないことを報知させる。これにより、本実施形態に係る医療用ポンプ１００は、シリンジ２００の交換の際に誤って交換することを抑制することができる。
【０１１５】  また、本実施形態において、制御部１８０は、記憶部１１０に記憶されている薬剤特定情報と、リーダ１７０が新たに読み取った薬剤特定情報とが一致していない場合、さらに、医療用ポンプ１００を送液不可モードに移行させてもよい。これにより、医療用ポンプ１００は、シリンジ２００が誤って交換された際に、その状態のまま送液が開始されてしまうことを抑制することができる。
【０１１６】  本発明は、上述した実施形態のみに限定されず、本発明の技術的思想内において当業者により種々変更が可能である。例えば、医療用ポンプは、シリンジポンプに限定されず、輸液バッグに収容された薬剤を送液する輸液ポンプなどの他の種類の医療用ポンプであってもよい。
【０１１７】  また、通信器３００の代わりに、例えばバーコード又はＱＲコード（登録商標）のような、情報を有する図形がシリンジ２００に貼り付けられていてもよい。この場合、バーコード又はＱＲコードが薬剤特定情報を含み、医療用ポンプ１００のリーダ１７０は、バーコード又はＱＲコードから薬剤特定情報を読み込む。
【産業上の利用可能性】
【０１１８】  本開示は、医療用ポンプ、医療用ポンプの制御方法、及び医療用ポンプシステムに関する。
【符号の説明】
【０１１９】  １  医療用ポンプシステム  ２  本体カバー  ２Ａ  本体カバーの上部分  ２Ｂ  本体カバーの下部分  ３  表示部  ４  操作パネル部  ４Ａ  電源ＯＮ／ＯＦＦボタン  ４Ｂ  早送りスイッチボタン  ４Ｃ  開始スイッチボタン  ４Ｄ  停止スイッチボタン  ４Ｅ  メニュー選択ボタン  ４Ｆ  動作インジケータ  ５  クランプ  ６  シリンジ設置部  ７  シリンジ押子駆動部  ８  収容部  ８Ｅ  収容部の右端部  ９  チューブ固定部  １０  スライダ  １００  医療用ポンプ  １１０  記憶部  １１１  スイッチ  １１２  電源コンバータ部（電源部）  １１３  充電池  １１４  コンセント  １１５  商用交流電源  １２０  検出スイッチ  １２１  検出スイッチ  １２２  クランプセンサ  １３０  表示部ドライバ  １３１  報知部  １３３  モータ  １３４  モータドライバ  １３５  送りネジ  １４０  通信部  １６０  ポンプ部  １７０  リーダ  １８０  制御部  ２００  シリンジ  ２０１  シリンジ本体  ２０２  シリンジ押子  ２０３  チューブ  ２０４  留置針  ２０５  押子フランジ  ２０９  本体フランジ  ２１０  薬剤の目盛  ２１１  シリンジの出口部  ３００  通信器  ３１０  通信部  ３２０  メモリ  ７０１  表示部の薬剤名表示欄  ７０２  表示部の薬剤カラー表示欄  ７０３  表示部の投与設定表示欄  ７０４  表示部のメッセージ欄  Ｐ  患者
【図１】
2019064952.tif 000003
【図２】
2019064952.tif 000004
【図３】
2019064952.tif 000005
【図４】
2019064952.tif 000006
【図５】
2019064952.tif 000007
【図６】
2019064952.tif 000008
【図７】
2019064952.tif 000009
【図８】
2019064952.tif 000010
【国際調査報告】
2019064952.tif 000011
2019064952.tif 000012
2019064952.tif 000013
2019064952.tif 000014